(57)【要約】  本発明は、銀行業務機能を支援するための個人金融情報を記録している移動通信端末のＩＣカードチップ（例えば、内蔵形もしくは着脱形のスマートカードチップまたは交通カードチップ）に記録された個人金融情報を認証し、該移動通信端末が使用者により選択された口座番号を含む取引内訳要請ＩｒＦＭ（Ｉｎｆｒａｒｅｄ  Ｆｉｎａｎｃｉａｌ  Ｍｅｓｓａｇｅ）をＩｒＦＭ受信ポートを備えたＣＤ／ＡＴＭ（現金自動支給または入出金器）に伝送すると、ＣＤ／ＡＴＭが、該当口座に対する銀行取引内訳をバンキングサーバに要請し、その照会結果を銀行取引内訳書としてプリントして使用者に提供することにより、移動通信端末を利用してＣＤ／ＡＴＭを通じて自身の特定口座に対する銀行取引内訳を使用者が簡単に確認することができる。
2007521557.tif 000002
【特許請求の範囲】
【請求項１】
銀行業務機能を支援するための使用者口座番号および使用者認証用ＰＩＮを個人金融情報として記録している内蔵形または着脱形のＩＣカードチップを備え、使用者のＰＩＮ認証要請がある場合には、内部のチップドライバ１２を駆動して前記ＩＣカードチップ１１に記録されたＰＩＮ認証を行い、前記ＩＣカードチップ１１に記録された使用者口座番号を含む取引内訳要請ＩｒＦＭを、ＩｒＦＭ送信ポート１３を通じて外部へ出力する移動通信端末１０と、
前記移動通信端末１０の取引内容要請ＩｒＦＭをＩｒＦＭ受信ポート２１を通じて受信した場合には銀行業務取引表示窓２２に使用者口座秘密番号入力メッセージを表示し、使用者口座秘密番号が入力された場合には該当口座に対する取引内訳要請メッセージを該当金融機関へ伝送し、該当金融機関から伝達を受けた取引内訳メッセージをプリンタ２４を通じて銀行取引内訳書として出力するＣＤ／ＡＴＭ２０と、
前記ＣＤ／ＡＴＭ２０の取引内訳要請メッセージを受信した場合には、該当口座に対する取引内訳を確認し、その取引内訳メッセージをＣＤ／ＡＴＭ２０に伝達する金融機関バンキングサーバ３０と
を含んでなる銀行取引内訳書出力システム。
【請求項２】
前記移動通信端末１０は、銀行取引内訳書出力機能を遂行するためのアプリケーションを搭載しており、使用者が移動通信端末１０の特定機能キーを押して前記銀行取引内訳書出力アプリケーションの遂行を要請した場合には、ＰＩＮ入力画面を表示窓に表示し、使用者がＰＩＮを入力するとチップドライバ１２を駆動してアクセスしたＩＣカードチップ１１に記録されているＰＩＮと使用者入力ＰＩＮとが一致するか否かを判別し、これらのＰＩＮが互いに一致した場合には、前記ＩＣカードチップ１１に記録された使用者口座番号を含む取引内訳要請ＩｒＦＭを生成して前記ＩｒＦＭ送信ポート１３を通じて外部へ出力するものである請求項１に記載の銀行取引内訳書出力システム。
【請求項３】
前記移動通信端末１０は、銀行取引内訳書出力に必要な口座番号追加および更新機能を遂行するためのアプリケーションを搭載しており、使用者が移動通信端末１０の特定機能キーを押して前記口座番号の追加および更新アプリケーションの遂行を要請した場合には、ＰＩＮ入力画面を表示窓に表示し、使用者がＰＩＮを入力するとチップドライバ１２を駆動してアクセスしたＩＣカードチップ１１に記録されているＰＩＮと使用者入力ＰＩＮとが一致するか否かを判別し、これらのＰＩＮが互いに一致した場合には、前記金融機関バンキングサーバ３０に口座番号を追加して更新する要請メッセージを伝送し、該当金融機関バンキングサーバ３０から伝送された新たに追加され更新された口座番号を前記チップドライバ１２を駆動してＩＣカードチップ１１に追加し、該追加した口座番号を更新して記録するものである請求項１に記載の銀行取引内訳書出力システム。
【請求項４】
前記金融機関バンキングサーバ３０は、無線通信網を通じて移動通信端末１０の口座番号を追加して更新する要請メッセージを受信した場合には、新たに追加されるか更新された口座番号を含む口座番号を追加して更新メッセージを前記移動通信端末１０へ伝送するものである請求項３に記載の銀行取引内訳書出力システム。
【請求項５】
前記移動通信端末１０は、前記チップドライバ１２を駆動してアクセスしたＩＣカードチップ１１に記録されているＰＩＮと使用者入力ＰＩＮとが一致した場合には、口座番号選択画面を表示窓に表示し、使用者がキーボタンを操作して特定口座番号を選択した場合には、前記ＩＣカードチップ１１に記録された複数の使用者口座番号の中から選択した使用者口座番号を含む取引内訳要請ＩｒＦＭを生成して前記ＩｒＦＭ送信ポート１３を通じて外部へ出力するものである請求項２または３に記載の銀行取引内訳書出力システム。
【請求項６】
前記ＣＤ／ＡＴＭ２０は、移動通信端末１０の取引内容要請ＩｒＦＭをＩｒＦＭ受信ポート２１を通じて受信し、該当取引内訳書を出力するためのプリンタ２４を備えている請求項１に記載の銀行取引内訳書出力システム。
【請求項７】
使用者が移動通信端末１０の特定機能キーを押して前記銀行取引内訳書出力アプリケーションの遂行を要請した場合には、ＰＩＮ入力画面を表示窓に表示して使用者がＰＩＮを入力できるようにするステップ（Ｓ１０）と、
使用者がＰＩＮを入力した場合には、移動通信端末１０が、入力されたＰＩＮを認証するために内部のチップドライバ１２を駆動してアクセスしたＩＣカードチップ１１に記録されているＰＩＮと使用者入力ＰＩＮとが一致するか否かを判別するステップ（Ｓ２０）と、
使用者入力ＰＩＮがＩＣカードチップ１１に記録されたＰＩＮと一致した場合には、移動通信端末１０が口座番号選択画面を表示窓に表示して使用者が銀行取引内訳書を出力しようとする特定口座番号を選択できるようにするステップ（Ｓ３０）と、
使用者が前記ＩＣカードチップ１１に記録された複数の使用者口座番号の中から特定口座番号を選択した場合には、移動通信端末１０が、チップドライバ１２を駆動して選択された口座番号にアクセスし、この選択された使用者口座番号を含む取引内訳要請ＩｒＦＭを生成して前記ＩｒＦＭ送信ポート１３を通じてＣＤ／ＡＴＭ２０へ伝送するステップ（Ｓ４０）と、
前記ＣＤ／ＡＴＭ２０が、移動通信端末１０の取引内容要請ＩｒＦＭをＩｒＦＭ受信ポート２１を通じて受信し、銀行業務取引表示窓２２に使用者口座秘密番号入力メッセージを表示して使用者が口座秘密番号を入力できるようにするステップ（Ｓ５０）と、
使用者口座秘密番号が正常に入力されると、前記ＣＤ／ＡＴＭ２０が、該当口座に対する取引内訳要請メッセージを該当金融機関バンキングサーバ３０に伝送するステップ（Ｓ６０）と、
前記金融機関バンキングサーバ３０が、ＣＤ／ＡＴＭ２０に該当口座に対する取引内訳メッセージを伝送するステップ（Ｓ７０）と、
前記ＣＤ／ＡＴＭ１０が、金融機関バンキングサーバ３０から伝達を受けた取引内訳メッセージを、プリンタ２４を通じて銀行取引内訳書として出力するステップ（Ｓ８０）と
を含んでなる銀行取引内訳書出力方法。
【発明の詳細な説明】
【技術分野】
【０００１】
本発明は、銀行取引内訳書システムおよびその方法に関し、より詳細には、ＩｒＦＭ（Ｉｎｆｒａｒｅｄ  Ｆｉｎａｎｃｉａｌ  Ｍｅｓｓａｇｅ）送信機能が備えられた移動通信端末と、ＩｒＦＭ受信機能が備えられたＣＤ／ＡＴＭ（Ｃａｓｈ  Ｄｉｓｐｅｎｓｅｒ／Ａｕｔｏｍａｔｉｃ  Ｔｅｌｌｅｒ  Ｍａｃｈｉｎｅ、現金自動支給または入出金機）を利用する銀行取引内訳書出力システムおよびその方法に関する。
【背景技術】
【０００２】
従来のＣＤ／ＡＴＭは、銀行や信用カード会社などの各種の金融機関により発行される金融カードの使用者が使用者自身の金融カードを利用して口座照会をする場合には、該当口座の現在残額情報を提供するだけであり、使用者が使用者自身の銀行取引内訳書を確認しようとするたびに、直接、該当金融機関を訪問しなければならない不便さがある。
【０００３】
特に、前記のような金融カードの使用者が複数枚の金融カードを有している場合には、これらの金融カードの取引口座照会をするためにこれらの金融カードを全部財布などに携帯していかなければならない不便さがあるため、金融カードを紛失しやすいという問題点がある。
【０００４】
一方、携帯電話機やＰＣＳ端末やＰＤＡ電話機などの各種の移動通信端末は、銀行業務用移動通信端末使用者の口座番号や使用者認証用ＰＩＮ（Ｐｅｒｓｏｎａｌ  Ｉｄｅｎｔｉｆｉｃａｔｉｏｎ  Ｎｕｍｂｅｒ）などの個人金融情報を記録している内蔵形もしくは着脱形のスマートカードチップまたは交通カードチップなどのＩＣカードチップを利用して、使用者のカード使用代金の照会および決済や、口座残金の照会や、預金の振替および送金や、貸出金の照会および償還などの各種の銀行業務機能を支援する。
【０００５】
しかしながら、このように各種の銀行業務機能を支援する従来のＩＣカードチップを備えた移動通信端末を利用するとしても、使用者は、使用者自身の銀行取引内訳書を直接出力して確認することはできない。
【発明の開示】
【発明が解決しようとする課題】
【０００６】
上述の従来の問題点を解決するために、本発明は、ＩｒＦＭ送信機能が備えられた移動通信端末使用者の要請に応じて、ＩｒＦＭ受信機能を有するＣＤ／ＡＴＭを用いて、特定口座に対する銀行取引内訳を照会して該当使用者の銀行取引内訳書をプリントする銀行取引内訳書出力システムおよびその方法を提供する。
【課題を解決するための手段】
【０００７】
前記本発明の目的を達成するための銀行取引内訳書出力システムの一実施例は、銀行業務機能を支援するための使用者口座番号と使用者認証用ＰＩＮを個人金融情報として記録している内蔵形または着脱形のＩＣカードチップを備え、使用者のＰＩＮ認証要請がある場合には、内部のチップドライバを駆動して前記ＩＣカードチップに記録されたＰＩＮ認証を行なって、前記ＩＣカードチップに記録された使用者口座番号を含む取引内訳要請ＩｒＦＭをＩｒＦＭ送信ポートを通じて外部へ出力する移動通信端末と、
前記移動通信端末の取引内訳要請ＩｒＦＭをＩｒＦＭ受信ポートを通じて受信した場合には銀行業務取引表示窓に使用者口座秘密番号入力メッセージを表示し、使用者口座秘密番号が入力された場合には該当口座に対する取引内訳要請メッセージを該当金融機関に伝送し、該当金融機関から伝送された取引内訳メッセージをプリンタを通じて銀行取引内訳書として出力するＣＤ／ＡＴＭと、
前記ＣＤ／ＡＴＭの取引内訳要請メッセージを受信した場合には、該当口座に対する取引内訳を確認し、その取引内訳メッセージをＣＤ／ＡＴＭへ伝送する金融機関バンキングサーバとを含んでなる。
【０００８】
前記本発明の目的を達成するための銀行取引内訳書出力方法の一実施例は、使用者が移動通信端末の特定機能キーを押して前記銀行取引内訳書出力アプリケーションの遂行を要請すると、ＰＩＮ入力画面を表示窓に表示して使用者にＰＩＮを入力させるステップと、
使用者がＰＩＮを入力すると移動通信端末が入力された使用者入力ＰＩＮを認証するために内部のチップドライバを駆動してアクセスしたＩＣカードチップに記録されているＰＩＮと使用者入力ＰＩＮとが一致するか否かを判別するステップと、
使用者入力ＰＩＮとＩＣカードチップに記録されたＰＩＮとが一致すれば、移動通信端末が口座番号選択画面を表示窓に表示して使用者が銀行取引内訳書出力をしようとする特定口座番号を選択させるステップと、
使用者が前記ＩＣカードチップに記録された複数の使用者口座番号等の中から特定口座番号を選択した場合には、移動通信端末がチップドライバを駆動して選択された口座番号をアクセスし、この選択された使用者口座番号を含む取引内訳要請ＩｒＦＭを生成して前記ＩｒＦＭ送信ポートを通じてＣＤ／ＡＴＭへ伝送するステップと、
前記ＣＤ／ＡＴＭが、移動通信端末の取引内容要請ＩｒＦＭをＩｒＦＭ受信ポートを通じて受信し、銀行業務取引表示窓に使用者口座秘密番号入力メッセージを表示して使用者に口座秘密番号を入力させるステップと、
使用者口座秘密番号を正常に入力した場合には、前記ＣＤ／ＡＴＭが該当口座に対する取引内訳要請メッセージを該当金融機関バンキングサーバに伝送するステップと、
前記金融機関バンキングサーバが、該当口座に対する取引内訳メッセージをＣＤ／ＡＴＭに伝送するステップと、
前記ＣＤ／ＡＴＭが、金融機関バンキングサーバから伝達を受けた取引内訳メッセージをプリンタを通じて銀行取引内訳書として出力するステップとを含んでなる。
【発明を実施するための最良の形態】
【０００９】
以下、本発明による実施例を添付の図面を参照して詳しく説明する。
【００１０】
図１を参照すると、前記移動通信端末１０は、銀行業務機能を支援するための使用者口座番号と使用者認証用ＰＩＮを個人金融情報として記録している内蔵形または着脱形のＩＣカードチップ１１を備えている。
【００１１】
前記移動通信端末１０は、銀行取引内訳書出力機能を遂行するためのアプリケーションを搭載しており、使用者が移動通信端末１０の特定機能キーを押して前記銀行取引内訳書出力アプリケーションの遂行を要請すると、ＰＩＮ入力画面を表示窓に表示する。
【００１２】
このとき使用者がＰＩＮを入力すると、前記移動通信端末１０は、内部のチップドライバ１２を駆動してアクセスしたＩＣカードチップ１１に記録されているＰＩＮと使用者入力ＰＩＮとが一致するか否かを判別し、これらのＰＩＮが互いに一致した場合には前記ＩＣカードチップ１１に記録された使用者口座番号を含む取引内訳要請ＩｒＦＭを生成して、前記ＩｒＦＭ送信ポート１３を通じて金融機関バンキングサーバ３０に出力する。
【００１３】
前記移動通信端末１０は、銀行取引内訳書出力に必要な口座番号を追加して更新する機能を遂行するためのアプリケーションを搭載しており、使用者が移動通信端末１０の特定機能キーを押して前記口座番号追加および更新アプリケーションの遂行を要請すると、ＰＩＮ入力画面を表示窓に表示する。
【００１４】
このとき使用者がＰＩＮを入力すると、前記移動通信端末１０は、内部のチップドライバ１２を駆動してアクセスしたＩＣカードチップ１１に記録されているＰＩＮと使用者入力ＰＩＮとが一致するか否かを判別し、これらのＰＩＮが互いに一致した場合には、無線基地局とＰＤＳＮ（Ｐａｃｋｅｔ  Ｄａｔａ  Ｓｗｉｔｃｈ  Ｎｅｔｗｏｒｋ）などを含む無線通信網を通じて、金融機関バンキングサーバ３０に口座番号を追加して更新する要請メッセージを伝送し、該当金融機関バンキングサーバ３０から伝送された新たに追加され更新された口座番号を、前記チップドライバ１２を駆動してＩＣカードチップ１１に追加して更新して記録する。
【００１５】
ＣＤ／ＡＴＭ２０は、前記移動通信端末１０の取引内容要請ＩｒＦＭをＩｒＦＭ受信ポート２１を通じて受信すると、最初に、使用者口座秘密番号入力メッセージを銀行業務取引表示窓２２に表示する。
【００１６】
前記ＣＤ／ＡＴＭ２０は、使用者がキー操作部２３を操作して使用者口座秘密番号を入力すると、該当口座に対する取引内訳要請メッセージを該当金融機関へ伝送し、該当金融機関から伝達を受けた取引内訳メッセージをプリンタ２４を通じて銀行取引内訳書として出力する。
【００１７】
金融機関バンキングサーバ３０は、前記ＣＤ／ＡＴＭ２０の取引内訳要請メッセージを受信すると、該当口座に対する取引内訳を確認し、該取引内訳メッセージをＣＤ／ＡＴＭ２０に伝送する。
【００１８】
前記のように構成される本発明による銀行取引内訳書出力システムは、図２に示された方法によって次のように動作する。
【００１９】
図２を参照すると、最初に、使用者が銀行業務機能を支援するための個人金融情報を記録している内蔵形もしくは着脱形のスマートカードチップまたは交通カードチップなどのＩＣカードチップ１１を備えた移動通信端末１０を利用し、特定口座番号に対する銀行取引内訳を確認するために移動通信端末１０の特定機能キーを押した場合には、前記移動通信端末１０は、前記銀行取引内訳書出力アプリケーションを遂行して表示窓（図示せず）にＰＩＮ入力画面を表示することにより、使用者にＰＩＮを入力させる（Ｓ１０）。
【００２０】
次に、使用者が表示窓に表示されたＰＩＮ入力画面に対して移動通信端末１０の数字キーボタンを操作して自身の使用者認証用ＰＩＮを入力すると、前記移動通信端末１０は、入力されたＰＩＮを認証するために内部のチップドライバ１２を駆動してアクセスしたＩＣカードチップ１１に記録されているＰＩＮと使用者入力ＰＩＮとが一致するか否かを判別する（Ｓ２０）。
【００２１】
前記使用者入力ＰＩＮがＩＣカードチップ１１に記録されたＰＩＮと一致しない場合には、前記移動通信端末１０は、ＰＩＮ不一致メッセージやＰＩＮ再入力メッセージを表示窓に表示する。
【００２２】
一方、前記使用者入力ＰＩＮがＩＣカードチップ１１に記録されたＰＩＮと一致した場合には、前記移動通信端末１０は、口座番号選択画面を表示窓に表示して銀行取引内訳書出力をしようとする特定口座番号を使用者に選択させる（Ｓ３０）。
【００２３】
前記のように移動通信端末１０のＩＣカードチップ１１に記録された複数の口座番号選択画面が表示された状態から使用者が特定口座番号を選択した場合には、前記移動通信端末１０は、チップドライバ１２を駆動してＩＣカードチップ１１に記録された複数の使用者口座番号等の中から特定口座番号にアクセスし、この選択された使用者口座番号を含む取引内訳要請ＩｒＦＭを生成して前記ＩｒＦＭ送信ポート１３を通じてＣＤ／ＡＴＭ２０へ伝送する（Ｓ４０）。
【００２４】
次に、前記ＣＤ／ＡＴＭ２０は、移動通信端末１０の取引内容要請ＩｒＦＭをＩｒＦＭ受信ポート２１を通じて受信し、銀行業務取引表示窓２２に使用者口座秘密番号入力メッセージを表示し、使用者自身の銀行取引内訳書を要請した口座の秘密番号を使用者に入力させるようにする（Ｓ５０）。
【００２５】
使用者が入力した口座秘密番号が合わない場合には、前記ＣＤ／ＡＴＭ２０は、口座秘密番号不一致メッセージや口座秘密番号再入力メッセージを表示窓２２に表示する。
【００２６】
一方、使用者が入力した口座秘密番号が正常に入力した場合には、前記ＣＤ／ＡＴＭ２０は、無線基地局やＰＤＳＮなどを含む無線通信網を通じて、該当口座に対する取引内訳要請メッセージを該当金融機関バンキングサーバ３０に伝送する（Ｓ６０）。
【００２７】
このとき、前記金融機関バンキングサーバ３０は、ＣＤ／ＡＴＭ２０から取引内訳を要請した特定口座に対する銀行取引内訳を確認し、ＣＤ／ＡＴＭ２０に該当口座に対する取引内訳メッセージを伝送する（Ｓ７０）。この場合には、前記金融機関バンキングサーバ３０が提供する銀行取引内訳は、日付別にまたは特定日の時間別にその期間を特定できる。
【００２８】
前記のように、金融機関バンキングサーバ３０は使用者が要請した特定口座に対する取引内訳メッセージをＣＤ／ＡＴＭ２０に伝送し、前記ＣＤ／ＡＴＭ２０は該取引内訳メッセージをプリンタ２４を通じて銀行取引内訳書として出力する（Ｓ８０）。
【００２９】
上述のように、本発明による銀行取引内訳書出力方法を遂行するシステムは、銀行業務機能を支援するための個人金融情報を記録している移動通信端末のＩＣカードチップに記録された個人金融情報を認証し、前記移動通信端末は使用者が選んだ口座番号を含む取引内訳要請ＩｒＦＭをＩｒＦＭ受信ポートが備えられたＣＤ／ＡＴＭに伝送すれば、ＣＤ／ＡＴＭが該当口座に対する銀行取引内訳をバンキングサーバに要請し、その照会結果を銀行取引内訳書としてプリントして使用者に提供するようになっているので、使用者は、移動通信端末を利用してＣＤ／ＡＴＭを通じて自身の特定口座に対する銀行取引内訳を簡単に確認することができる。
【００３０】
さらに、本発明による銀行取引内訳書出力方法を遂行するシステムにおいて、前記移動通信端末は、前記ＩＣカードチップに使用者の複数の口座番号を追加して更新することができるので、使用者が複数枚の金融カードを財布などに携帯してもち歩く不便さを解消することができ、金融カードの紛失事故を未然に防止することができる。
【００３１】
以上に説明してきたものは、本発明による銀行取引内訳書出力システムおよびその方法を実施するための一つの実施例に過ぎないものであり、本発明は、前記の実施例に限定されずに、特許請求の範囲において請求する本発明の要旨を外れることなく、当該発明が属する技術分野における通常の知識を有する者であれば誰でも多様な変更実施が可能な範囲まで本発明の技術的思想が及ぶことが理解されるであろう。
【図面の簡単な説明】
【００３２】
【図１】本発明による銀行取引内訳書出力システムを示した構成図である。
【図２】本発明による銀行取引内訳書出力方法を示した流れ図である。
【符号の説明】
【００３３】
１０：移動通信端末
１１：ＩＣカードチップ
１２：チップドライバ
１３：ＩｒＦＭ送信ポート
２０：ＣＤ／ＡＴＭ
２１：ＩｒＦＭ  受信ポート
２２：表示窓
２３：キー操作部
２４：プリンタ
３０：金融機関バンキングサーバ
【図１】
2007521557.tif 000003
【図２】
2007521557.tif 000004
【国際調査報告】
2007521557.tif 000005